(57)【要約】【課題】星座盤を見るときと、星空を見るときの明るさの差が小さくなるような手段を講じて、懐中電灯の光等が眩しくないようにすること。【解決手段】本発明では、星座早見盤と、前記星座早見盤に照射される光を調節する調節手段と、を備えるという手段を講じた。特には、赤色フィルムによって形成した収納袋に、星座早見盤を収納し、懐中電灯に前記赤色フィルムによる収納袋をかぶせて、懐中電灯の光を赤色に変えて星座盤を照らすようにしたものである。【選択図】            図２
2004177779.tif 000002
【特許請求の範囲】
【請求項１】
星座早見盤と、前記星座早見盤に照射される光を調節する調節手段と、を備えていることを特徴とする星座観測セット。
【請求項２】
星座早見盤と、前記星座早見盤の盤面に照射し得る照明手段と、前記照明手段から照射される光を調節する調節手段と、を備えていることを特徴とする星座観測セット。
【請求項３】
前記調節手段は、前記星座早見盤に照射される光を通過させる赤色透光体としたことを特徴とする請求項１また２の何れか１項に記載の星座観測セット。
【請求項４】
前記調節手段は、前記星座早見盤を収納する手段を兼ねた赤色透光フィルムによる袋体としたことを特徴とする請求項１、２、３の何れか１項に記載の星座観測セット。
【請求項５】
前記星座早見盤には、月齢による月の見えかたを表示する図表も表示されていることを特徴とする請求項１、２、３、４の何れか１項に記載の星座観測セット。
【発明の詳細な説明】
【０００１】
【発明の属する技術分野】
本発明は、星座早見表が表示された星座観測盤を見やすくするセットに関するものである。
【０００２】
【従来の技術】
従来より、星座早見表が表示された星座観測盤を実際に使用するのは、夜間であるることが多いので、暗闇の中では電池式照明灯等を利用して、盤面を明るくして星座を確認し、電池式照明灯を消して実際の星空を見て、観測することが行われていた。
また、天の南極を中心に回転する南天星座盤と、天の北極を中心に回転する北天星座盤と、これら星座盤を同期逆回転させる歯車等の逆転手段とを設け、天半球を天頂を通って東西方向に延びる線で切って展開した形の窓から両星座盤を一覧させる構成の星座盤が提案されている。（特許文献１参照）
【０００３】
【特許文献１】特開平１０−２５４３５４号公報
【０００４】
【発明が解決しようとする課題】
ところが、暗闇の中で電池式照明灯によって明るく照らされた星座盤を見た後に、電池式照明灯を消して実際の暗い星空を見ると、明るさの差が大きすぎるために、目が慣れるまでに相当の時間を要するという問題があった。また、逆に、暗い星空に目を凝らしていた後に、急に明るい星座盤を見ると、眩しすぎるという問題があった。
【０００５】
そこで、本発明は、星座盤を見るときと、星空を見るときの明るさの差が小さくなるような手段を講じることを目的としてなされたものである。
【０００６】
【課題を解決するための手段】
本発明の請求項１では、
星座早見盤と、前記星座早見盤に照射される光を調節する調節手段と、を備えるという手段を講じた。
【０００７】
請求項２では、
星座早見盤と、前記星座早見盤の盤面に照射し得る照明手段と、前記照明手段から照射される光を調節する調節手段と、を備えるという手段を講じた。
【０００８】
請求項３では、前記調節手段は、前記星座早見盤に照射される光を通過させる赤色透光体とした。
請求項４では、前記調節手段は、前記星座早見盤を収納する手段を兼ねた赤色透光フィルムによる袋体とした。
請求項５では、前記星座早見盤には、月齢による月の見えかたを表示する図表も表示されている。従って、星座だけでなく月齢に応じた月の満ち欠けも表示できる。
【０００９】
【発明の実施の形態】
以下に、本発明にかかる星座観測セットを、その実施の形態を示した図面に基づいて詳細に説明する。
【００１０】
図１において、
１は星座早見盤、２は前記星座早見盤１より一回り大きい収納袋である。この収納袋２は、半透明樹脂シート製の赤色透光フィルムによって、１辺が開口した袋状に成形されている。この収納袋２の表面には、「星と月の早見盤」という名称の表示と、使用方法が表示されている。
【００１１】
前記星座早見盤１の表面の内側には星座早見図表３が表示され、外周部には月齢図表４が表示されている。また、観測地点の経度の影響を補正するための補正用図表５が表示されている。
また、前記星座早見図表３に対応した星座早見用の調節目盛３１と、月齢図表４に対応した調節窓４１と、補正用図表５に対応した指針５１とを備えている。
【００１２】
従って、まず、補正用図表５に表示された地図もしくは地名を参照して観測地点に該当する部分と指針５１とが一致するように星座早見盤１を回して調節する。次に、調節目盛３１で、日付と時間目盛を観測時間に合わせて調節する。このようにして、星座早見盤１を調節して、設定した地域における設定した日時の星座を知ることができる。
また、前記星座早見盤には、月齢による月の見えかたを表示する図表も表示されているので、月の満ち欠けも表示できる。
【００１３】
以上のような星座早見盤１を実際に夜間の星空と対応させて観測する場合を、図２を参照して以下に説明する。
夜間に、星座早見盤１を収納した収納袋２とともに、電池式照明灯として例えば懐中電灯７を屋外に持参する。
前記収納袋２から星座早見盤１を取り出し、空になった収納袋２を懐中電灯７にかぶせる。
【００１４】
懐中電灯７の光は、赤色の収納袋２を通過することによって赤色光となって星座早見盤１の盤面を照らすので、目に対する刺激が少ない。
従って、視線を星座早見盤１の盤面から星空に移しても、直ちに星空に慣れるので星を確認することができる。
また、逆に、視線を、懐中電灯で照らされた星座早見盤から夜空に移しても眩しくなく、直ちに慣れることができる。
【００１５】
なお、照明手段としては、懐中電灯に代えて、赤色発光ダイオード等の発光手段を備えた照明装置や、蓄光手段を採用することができる。また、携帯電話機のディスプレイに調節手段としての赤色フィルターをかぶせたものでもよい。
【００１６】
また、調節手段としては、図３の（ａ）に示したように、赤色のシートに代えて、懐中電灯７のレンズ部に装着する赤色板８ａでもよい。また、赤色でなくても、照度を抑えて眩しさを減じるものでもよい。
また、収納袋２に代えて、星座早見盤を収納できる大きさでなくてもよく、図３の（ｂ）に示したように、懐中電灯７のレンズ部にかぶせることができれば小さな赤いフィルムの袋８ｂでも充分である。
【００１７】
【発明の効果】
本発明によれば、星座早見盤を照らす光を赤色フィルム等の調節手段を通すことによって眩しくないように調節するので、実際の星空と星座早見盤の盤面とを交互に見ても、眩しすぎたり、暗さに慣れるまでの時間がかかったりするという問題を低減することができる。しかも、星座早見盤の収納袋の少なくとも一部分を前記調節手段とすることにより、収納袋と調節手段を兼ねることができるので、別々に持ち運ぶ必要も無くさらに便利である。
【図面の簡単な説明】
【図１】本発明にかかる星座観測セットの実施形態の全体図である。
【図２】前記星座観測セットの使用状態の説明図である。
【図３】別の実施形態の側面図である。
【符号の説明】
１  星座早見盤
２  収納袋（赤色フィルム、調節手段）
【図１】
2004177779.tif 000003
【図２】
2004177779.tif 000004
【図３】
2004177779.tif 000005